(57)【要約】【課題】施設内の利用者が利用可能な場所における、利用者が不在の場所を示す情報を提供することを目的としている。【解決手段】携帯端末の位置情報を取得する端末位置情報取得部と、施設内の利用者が利用可能な場所における、利用者が不在の場所を示す空き情報が、施設毎に格納された空き情報記憶部を参照し、前記携帯端末の位置情報を含む所定範囲内にある施設の前記空き情報を取得する空き情報検索部と、取得した前記空き情報を前記携帯端末へ送信する送信部と、を有する。【選択図】図１１
2016177775.tif 000002
【特許請求の範囲】
【請求項１】
携帯端末の位置情報を取得する端末位置情報取得部と、
施設内の利用者が利用可能な場所における、利用者が不在の場所を示す空き情報が、施設毎に格納された空き情報記憶部を参照し、前記携帯端末の位置情報を含む所定範囲内にある施設の前記空き情報を取得する空き情報検索部と、
取得した前記空き情報を前記携帯端末へ送信する送信部と、を有する情報処理装置。
【請求項２】
前記施設を識別する識別子と、前記施設の所在地を示す情報とが格納された施設位置記憶部を参照し、前記携帯端末の位置情報を含む所定範囲内にある施設の前記識別子を抽出する施設検索部を有し、
前記空き情報は、施設毎に、前記施設を識別する識別子と対応付けられており、
前記空き情報記憶部において、前記施設検索部が抽出した前記識別子と対応する空き情報を取得する請求項１記載の情報処理装置。
【請求項３】
前記空き情報は、
前記施設のレイアウトを示す画像における利用者が存在する位置に、前記利用者が存在することを示す画像を重畳した画像を表示させる画像データである請求項１又は２記載の情報処理装置。
【請求項４】
地図情報が格納された地図情報記憶部を前記携帯端末の位置情報で検索し、前記空き情報が取得された前記施設の所在地を含む地図情報を取得する地図情報検索部を有し、
前記送信部は、前記空き情報と前記地図情報検索部が取得した前記地図情報とを前記携帯端末に送信する請求項１乃至３の何れか一項に記載の情報処理装置。
【請求項５】
所定のエリアと対応付けられた広告情報が格納された広告情報記憶部を前記携帯端末の位置情報で検索し、前記携帯端末の位置情報が前記所定のエリアに含まれる広告情報を取得する広告情報検索部を有し、
前記送信部は、前記空き情報と前記広告情報検索部が取得した前記広告情報とを前記携帯端末に送信する請求項１乃至４の何れか一項に記載の情報処理装置。
【請求項６】
前記施設の利用者が利用可能な場所における利用者の在／不在を示す人感検知データを取得する人感検知部と、
前記施設のレイアウトを示す画像データと、前記人感検知データと、を用いて前記空き情報を生成する空き情報生成部と、を有する請求項１乃至５の何れか一項に記載の情報処理装置。
【請求項７】
前記施設の前記識別子と、前記施設内の利用者が利用可能な場所の予約状況を示す予約データとが対応付けられた予約情報記憶部を参照し、前記施設検索部が抽出した前記識別子と対応する予約情報を取得する予約情報取得部と、
抽出された前記識別子が示す施設への到着予定時刻と、前記抽出された前記識別子が示す施設における滞在予定時間と、前記予約情報取得部が取得した前記予約情報と、前記空き情報取得部が取得した前記空き情報と、を照合する照合部と、を有し、
前記照合部は、
前記滞在予定時間内に利用不可となる場所を含めた空き情報を出力する請求項２に記載の情報処理装置。
【請求項８】
前記照合部は、
前記携帯端末の前記位置情報と、前記識別子が示す前記施設の所在地を示す情報と、基づき前記到着予定時刻を算出する請求項７記載の情報処理装置。
【請求項９】
前記滞在予定時間は、予め設定された時間か、又は前記携帯端末において入力された時間である請求項７又は８記載の情報処理装置。
【請求項１０】
携帯端末の位置情報を取得する処理と、
施設内の利用者が利用可能な場所における、利用者が不在の場所を示す空き情報が、施設毎に格納された空き情報記憶部を参照し、前記携帯端末の位置情報を含む所定範囲内にある施設の前記空き情報を取得する処理と、
取得した前記空き情報を前記携帯端末へ送信する処理と、を情報処理装置に実行させる空き情報提供プログラム。
【請求項１１】
携帯端末と、情報処理装置とを有する空き情報提供システムによる空き情報提供方法であって、
前記携帯端末の位置情報を取得し、
施設内の利用者が利用可能な場所における、利用者が不在の場所を示す空き情報が、施設毎に格納された空き情報記憶部を参照し、前記携帯端末の位置情報を含む所定範囲内にある施設の前記空き情報を取得し、
取得した前記空き情報を前記携帯端末へ送信する、空き情報提供方法。
【発明の詳細な説明】
【技術分野】
【０００１】
本発明は、スペースの空き情報を提供する情報処理装置、空き情報提供プログラム及び空き情報提供方法に関する。
【背景技術】
【０００２】
従来から、喫茶店やレストラン等の飲食店において、空席があるか否かを示す情報を提供する技術が知られている。
【０００３】
具体的には例えば、飲食店において、客が着席するテーブル毎に空席なのか使用中なのか等の座席状態の確認ができる空席管理装置が知られている（特許文献１）。この空席管理装置は、飲食店内の従業員に対して店内の空席状態を通知する。
【発明の概要】
【発明が解決しようとする課題】
【０００４】
上記従来の技術では、例えば店舗の外にいる人が、現在地の周辺で休憩や食事等のために飲食店を探そうとした場合に、飲食店の空席等の個人が専有できるスペースに空きがあるか否かを示す情報を提供することができない。すなわち、従来の技術では、施設内の利用者が不在の場所を示す情報を提供することができない。
【０００５】
開示の技術は、上記事情に鑑みて成されたものであり、施設内の利用者が利用可能な場所における、利用者が不在の場所を示す情報を提供することを目的としている。
【課題を解決するための手段】
【０００６】
開示の技術は、携帯端末の位置情報を取得する端末位置情報取得部と、施設内の利用者が利用可能な場所における、利用者が不在の場所を示す空き情報が、施設毎に格納された空き情報記憶部を参照し、前記携帯端末の位置情報を含む所定範囲内にある施設の前記空き情報を取得する空き情報検索部と、取得した前記空き情報を前記携帯端末へ送信する送信部と、を有する情報処理装置である。
【発明の効果】
【０００７】
施設内の利用者が利用可能な場所における、利用者が不在の場所を示す情報を提供できる。
【図面の簡単な説明】
【０００８】
【図１】第一の実施形態の空き情報提供システムのシステム構成の一例を示す図である。
【図２】空き情報データベースの一例を示す図である。
【図３】レイアウトデータの一例を示す図である。
【図４】第一の実施形態のサーバのハードウェア構成を説明する図である。
【図５】第一の実施形態のサーバの機能構成を説明する図である。
【図６】第一の実施形態の端末装置による空き情報の取得を説明する図である。
【図７】サーモパイルの配置を説明する第一の図である。
【図８】サーモパイルの配置を説明する第二の図である。
【図９】空き情報の取得について説明する図である。
【図１０】第一の実施形態の空き情報提供システムの動作を説明するシーケンス図である。
【図１１】第一の実施形態における携帯端末の画面の例を示す図である。
【図１２】変形例における端末装置とサーバの機能構成を説明する図である。
【図１３】第二の実施形態の空き情報提供システムのシステム構成の一例を示す図である。
【図１４】第二の実施形態のサーバの機能構成を説明する図である。
【図１５】第二の実施形態の空き情報提供システムの動作を説明するシーケンス図である。
【図１６】第二の実施形態における携帯端末の画面の例を示す図である。
【図１７】第三の実施形態の空き情報提供システムのシステム構成の一例を示す図である。
【図１８】広告情報データベースの一例を示す図である。
【図１９】第三の実施形態のサーバの機能構成を説明する図である。
【図２０】第三の実施形態の空き情報提供システムの動作を説明するシーケンス図である。
【図２１】第三の実施形態における携帯端末の画面の例を示す図である。
【図２２】第四の実施形態の空き情報提供システムのシステム構成の一例を示す図である。
【図２３】座席情報データベースの一例を示す図である。
【図２４】第四の実施形態のサーバの機能構成を説明する図である。
【図２５】第四の実施形態の空き情報提供システムの動作を説明するシーケンス図である。
【図２６】第四の実施形態における携帯端末の画面の例を示す図である。
【図２７】第五の実施形態の空き情報提供システムのシステム構成の一例を示す図である。
【図２８】第五の実施形態の施設位置データベースの一例を示す図である。
【図２９】第五の実施形態のレイアウトデータの一例を示す図である。
【図３０】第五の実施形態のサーバの機能構成を説明する図である。
【図３１】人感検知データの一例を示す図である。
【図３２】第五の実施形態の空き情報の取得を説明する図である。
【図３３】第五の実施形態の空き情報提供システムの動作を説明するシーケンス図である。
【図３４】第六の実施形態の空き情報提供システムのシステム構成の一例を示す図である。
【図３５】第六の実施形態の予約データベースの一例を示す図である。
【図３６】第六の実施形態のサーバの機能構成を説明する図である。
【図３７】第六の実施形態の空き情報提供システムの動作を説明するシーケンス図である。
【図３８】第六の実施形態の照合部の処理を説明するフローチャートである。
【図３９】第六の実施形態における携帯端末の画面の例を示す第一の図である。
【図４０】第六の実施形態における携帯端末の画面の例を示す第二の図である。
【図４１】第七の実施形態のサーバの機能構成を説明する図である。
【図４２】第七の実施形態の空き情報提供システムの動作を説明するシーケンス図である。
【図４３】第七の実施形態における携帯端末に表示された画面の例を示す図である。
【発明を実施するための形態】
【０００９】
（第一の実施形態）
以下に図面を参照して第一の実施形態について説明する。図１は、第一の実施形態の空き情報提供システムのシステム構成の一例を示す図である。
【００１０】
本実施形態の空き情報提供システム１００は、携帯端末２００と、サーバ３００とを有する。携帯端末２００とサーバ３００とは、ネットワークＮを介して接続されている。
【００１１】
本実施形態のサーバ３００は、空き情報提供プログラム３１０がインストールされており、空き情報データベース３２０を有する。
【００１２】
また、本実施形態のサーバ３００は、レストラン等の店舗に設置された端末装置４００とネットワークＮを介して通信を行う。本実施形態の端末装置４００は、空き情報取得プログラム４１０がインストールされており、店舗のレイアウトを示すレイアウトデータ４２０を有する。端末装置４００は、空き情報取得プログラム４１０を実行し、レイアウトデータ４２０を用いて、店舗の座席の空き情報を取得する。座席の空き情報とは、空いている座席を示す情報である。端末装置４００が取得した空き情報は、サーバ３００の空き情報データベース３２０に格納される。
【００１３】
本実施形態のサーバ３００は、携帯端末２００から空き情報の取得要求を受け付けると、空き情報提供プログラム３１０を実行し、空き情報データベース３２０に格納された空き情報のうち、携帯端末２００の位置に応じた空き情報を携帯端末２００へ提供する。
【００１４】
以下の説明では、本実施形態の端末装置４００は、例えばレストラン等の飲食店に設置された端末として説明するが、端末装置４００が設置される施設は、飲食店に限定されない。端末装置４００が設置される施設は、例えば図書館や学習室等を有する公民館等であっても良い。さらに、本実施形態の端末装置４００が設置される施設は、例えば個人が専有できるスペースを有し、且つ後述する位置情報を取得することができる設備を有する場所であれば良い。
【００１５】
また、以下の説明では、端末装置４００が設置された施設において、空いている座席の有無を示す情報を空き情報として説明するが、空き情報はこれに限定されない。本実施形態の空き情報は、個人が専有できるスペースの有無を示す情報であれば良い。すなわち、本実施形態の空き情報は、施設内に、利用者に利用されていない場所があるか否かを示している。言い換えれば、空き情報は、施設内の利用者が利用可能な場所における、利用者が不在の場所を示す情報である。
【００１６】
本実施形態における個人が専有できるスペース（利用者が不在の場所）とは、個人が特定の時間所有することができる空間を示している。具体的には、個人が専有できるスペースとは、例えば飲食店や図書館、サテライトオフィス等の座席を含むスペースであっても良い。また、個人が専有できるスペースは、座席を含まなくても良い。個人が専有できるスペースは、例えば立った状態で飲食等を行うスペースであっても良いし、横たわって休憩するスペースであっても良い。
【００１７】
本実施形態の空き情報提供システム１００では、携帯端末２００がサーバ３００に対して空き情報の取得要求を行うことで、携帯端末２００の周辺の施設において、利用者が不在の場所を示す空き情報が携帯端末２００に送信される。したがって、本実施形態によれば、携帯端末２００のユーザは、自身の現在地の周辺で、自身の休憩や飲食等の目的に応じ、現在位置の周辺で、スペースの空きを簡単な操作で把握することができる。
【００１８】
以下に、図２を参照し、サーバ３００の有する空き情報データベース３２０について説明する。図２は、第一の実施形態の空き情報データベースの一例を示す図である。
【００１９】
本実施形態の空き情報データベース３２０は、情報の項目として、施設ＩＤ、施設名、住所、空き情報とを有し、それぞれが対応付けられている。
【００２０】
項目「施設ＩＤ」の値は、空き情報データベース３２０に空き情報が格納されている施設を識別する識別子を示す。空き情報データベース３２０に空き情報が格納されている施設とは、端末装置４００が配置された施設である。項目「施設名」の値は、端末装置４００が配置された施設の名称を示す。項目「住所」の値は、対応する施設名の施設の住所を示す。項目「空き情報」の値は、端末装置４００から受信した画像データである。空き情報の詳細は後述する。
【００２１】
図３は、第一の実施形態のレイアウトデータの一例を示す図である。本実施形態のレイアウトデータ４２０は、端末装置４００が配置された施設において、端末装置４００に格納されるデータである。
【００２２】
本実施形態のレイアウトデータ４２０は、情報の項目として、施設ＩＤ、施設名、設計図、座席数を有する。項目「施設名」の値は、端末装置４００が設置されている施設の名称を示す。項目「設計図」の値は、対応する施設名の施設のレイアウトを示す画像データである。項目「座席数」の値は、対応する施設名の施設が有する座席の数を示す。
【００２３】
図３に示すレイアウトデータ４２０は、項目「施設名」の値がレストランＡであり、項目「設計図」の値が画像データＡ．ｊｐｇであり、項目「座席数」の値が１２である。したがって、図３のレイアウトデータ４２０には、レストランＡの座席数は１２席であり、レストランＡのレイアウトを示す画像データＡ．ｊｐｇが格納されていることがわかる。尚、レイアウトを示す画像データとは、例えばレストランＡの店舗内の間取り図等である。レイアウトを示す画像データには、例えば店舗内のテーブルや椅子等の配置を示す情報も含まれる。また、座席数は、客が座るために設けられた客席の数である。レイアウトを示す画像データの詳細は後述する。
【００２４】
次に、本実施形態のサーバ３００について説明する。図４は、第一の実施形態のサーバのハードウェア構成を説明する図である。
【００２５】
本実施形態のサーバ３００は、それぞれバスＢで相互に接続されている入力装置３１、出力装置３２、ドライブ装置３３、補助記憶装置３４、メモリ装置３５、演算処理装置３６及びインターフェース装置３７を含む。
【００２６】
入力装置３１はキーボードやマウス等を含み、各種信号を入力するために用いられる。出力装置３２はディスプレイ装置等を含み、各種ウインドウやデータ等を表示するために用いられる。インターフェース装置３７は、モデム、ＬＡＮカード等を含み、ネットワークに接続する為に用いられる。
【００２７】
空き情報提供プログラム３１０は、サーバ３００を制御する各種プログラムの少なくとも一部である。空き情報提供プログラム３１０は例えば記録媒体３８の配布やネットワークからのダウンロードなどによって提供される。空き情報提供プログラム３１０を記録した記録媒体３８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２８】
また、空き情報提供プログラム３１０は、空き情報提供プログラム３１０を記録した記録媒体３８がドライブ装置３３にセットされると、記録媒体３８からドライブ装置３３を介して補助記憶装置３４にインストールされる。ネットワークからダウンロードされた空き情報提供プログラム３１０は、インターフェース装置３７を介して補助記憶装置３４にインストールされる。
【００２９】
補助記憶装置３４は、インストールされた空き情報提供プログラム３１０を格納すると共に、必要なファイル、データ等を格納する。メモリ装置３５は、コンピュータの起動時に補助記憶装置３４から空き情報提供プログラム３１０を読み出して格納する。そして、演算処理装置３６はメモリ装置３５に格納された空き情報提供プログラム３１０に従って、後述するような各種処理を実現している。
【００３０】
尚、本実施形態の端末装置４００のハードウェア構成は、サーバ３００と同様であるから、説明を省略する。本実施形態の携帯端末２００は、例えばスマートフォン等の携帯電話であっても良いし、タブレット型のコンピュータであっても良い。その場合、携帯端末２００は、入力装置として、表示機能を有する表示操作装置を有していても良い。
【００３１】
図５は、第一の実施形態のサーバの機能構成を説明する図である。本実施形態のサーバ３００は、空き情報提供処理部３１０Ａを有する。本実施形態の空き情報提供処理部３１０Ａは、サーバ３００の演算処理装置３６が空き情報提供プログラム３１０を実行することで実現される。
【００３２】
本実施形態の空き情報提供処理部３１０Ａは、空き情報登録部３１１、端末位置取得部３１２、空き情報検索部３１３、画面データ生成部３１４、送信部３１５を有する。
【００３３】
空き情報登録部３１１は、端末装置４００から取得した空き情報を、端末装置４００が配置された施設の施設名と住所と共に取得し、空き情報データベース３２０に登録する。
【００３４】
端末位置取得部３１２は、携帯端末２００から送信される携帯端末２００の位置情報を取得する。携帯端末２００の位置情報は、携帯端末２００の有するＧＰＳ（Global Positioning System）機能により取得される情報である。本実施形態の位置情報とは、例えば、緯度・経度を示す情報である。
【００３５】
空き情報検索部３１３は、取得した携帯端末２００の位置情報で空き情報データベース３２０を検索し、空き情報を取得する。画面データ生成部３１４は、取得した空き情報を携帯端末２００に表示させるための画面データを生成する。送信部３１５は、サーバ３００から携帯端末２００へのデータの送信を行う。
【００３６】
図６は、第一の実施形態の端末装置による空き情報の取得を説明する図である。本実施形態の端末装置４００は、空き情報取得処理部４１０Ａを有する。
【００３７】
空き情報取得処理部４１０Ａは、端末装置４００の演算処理装置が空き情報取得プログラム４１０を実行することで実現される。
【００３８】
空き情報取得処理部４１０Ａは、人感検知部４１１、空き情報取得部４１２、送信部４１３を有する。
【００３９】
人感検知部４１１は、後述する温度検出センサ（サーモパイル）２ａ乃至２ｆにより検出された温度に応じて、観察対象となる施設内の空間の温度分布を検出し、室内において人が存在する領域を検知する。以下の説明では、人感検知部４１１により検知された、空間における人の在／不在を示す情報を、人感検知データと呼ぶ。
【００４０】
空き情報取得部４１２は、レイアウトデータ４２０と、人が存在する領域とに基づき、空き情報を取得する。送信部４１３は、取得した空き情報を施設名と、施設の住所と共にサーバ３００へ送信する。
【００４１】
以下に端末装置４００による空き情報の取得について説明する。
【００４２】
図６において、１は、天井から床の方向を観察した施設内の空間（フロア）を表す。２ａ乃至２ｆは、空間の温度分布を検出するサーモパイルである。サーモパイルの配置を、図７及び図８を参照して説明する。
【００４３】
図７は、サーモパイルの配置を説明する第一の図であり、図８はサーモパイルの配置を説明する第二の図である。図７において、１ａは蛍光管を表し、スペースの照明機器として、スペースの天井に設けられた蛍光灯取り付け器具に取り付けられる。２ａはサーモパイルであり、図６における２ａに相当する。サーモパイル２ａは、円環１２を介して、蛍光管１ａに取り付けられている。
【００４４】
図８は、天井１３に固定された蛍光灯取り付け器具１４に、蛍光管１ａが取り付けられた様子を表している。蛍光管１ａを蛍光灯取り付け器具１５に取り付けることにより、同時にサーモパイル２ａを配置することができる。尚、図８では、蛍光管を例に示したが、これに限定するものではなく、ＬＥＤ照明等の他の照明機器であってもよい。サーモパイル２ａにより検知したデータは、図示しないドライバと無線モジュールを介してサーバ３００等の他の機器に転送できるようになっている。サーモパイル２ａにより検知したデータをサーバ３００に送信する形態は、後述する変形例にて述べる。
【００４５】
本実施形態、サーモパイル２ａは赤外線センサを二次元に配列した素子であり、図示しない光学系により結像させた像を、サーモパイルで撮像することにより、所定の範囲の二次元空間温度分布を検出する。空間内に人が存在すれば、人は体温を有する為、周囲とは異なる量の赤外線を発する熱源として検出され、それにより空間内に人がいること及びその位置を検出することができる。
【００４６】
したがって、図６の例では、２ａ乃至２ｆのサーモパイルによる温度分布から、空間１の全体の温度分布から、空間１における人の在／不在を検知できる。
【００４７】
以下に、図９を参照して空き情報の取得について説明する。図９は、空き情報の取得について説明する図である。図９（Ａ）は、施設ＩＤ「００１」のレストランＡに設定された端末装置４００の人感検知部４１１により検出された、レストランＡ内の人の在／不在を示す図である。つまり、図９（Ａ）に示す情報は、レストランＡにおける人感検知データである。図９（Ａ）に破線の四角で示した２ａ'乃至２ｆ'は、レストランＡの室内に設けられたサーモパイル２ａ乃至２ｆにより温度分布が検出された領域を表し、また４５に代表される黒丸は、熱源である人を表している。
【００４８】
本実施形態の端末装置４００は、空き情報取得部４１２により、メモリに記憶されたレイアウトデータ４２０と、人感検知データとを用い、空き情報を取得する。
【００４９】
図９（Ｂ）は、レストランＡのレイアウトを示す画像データＡ．ｊｐｇ（図３参照）を表示させた画像の例であり、符号４６、４７、４８は、それぞれレストランＡ内に設置されたカウンター席、椅子、テーブルを模式的に表している。図９（Ｃ）は、レストランＡの空き情報である画像データＡ−１．ｊｐｇを表示させた画像の例である。すなわち、図９（Ｃ）に示す画像は、レストランＡの空き情報である。
【００５０】
本実施形態では、図９（Ｃ）に示す空き情報は、図９（Ａ）に示す人感検知データと、図９（Ｂ）に示す画像データＡ．ｊｐｇを表示させた画像と、を重畳させることで得られる。尚、人感検知データと、画像データＡ．ｊｐｇを表示させた画像と、における位置の対応は予めとられている。
【００５１】
図９（Ｃ）では、灰色の丸は人を表し、人感検知部４１１において人が存在すると判定された場所を、灰色の丸という記号で置き換えて表示している。
【００５２】
すなわち、本実施形態における空き情報とは、施設のレイアウトを示す画像データにおいて、利用者が存在する位置に利用者が存在することを示す画像を重畳させた画像の画像データである。
【００５３】
よって、本実施形態では、空き情報において、利用者が存在することを示す画像が表示されていない場所が、利用者が不在の場所であり、個人が専有できるスペースとなる。図９（Ｃ）の例では、例えば符号４９が示す座席が空席であることがわかる。
【００５４】
本実施形態の端末装置４００は、上述した空き情報取得部４１２の処理を所定時間毎に行い、その都度取得した空き情報をサーバ３００へ送信する。したがって、本実施形態の空き情報データベース３２０は、所定時間毎に更新される。
【００５５】
次に、図１０を参照して、本実施形態の空き情報提供システム１００の動作を説明する。図１０は、第一の実施形態の空き情報提供システムの動作を説明するシーケンス図である。
【００５６】
始めに、端末装置４００の動作を説明する。本実施形態の端末装置４００は、人感検知部４１１により、端末装置４００が配置された施設において検出された人感検知データを取得する（ステップＳ１００１）。
【００５７】
続いて、端末装置４００は、人感検知データとレイアウトデータ４２０とを参照し、空き情報を取得する（ステップＳ１００２）。空き情報の取得については、図９で説明した通りである。続いて端末装置４００は、送信部４１３により、取得した空き情報と、端末装置４００が配置された施設の施設名と住所とをサーバ３００へ送信する（ステップＳ１００３）。尚、施設名と施設の住所とは、予め端末装置４００のメモリにレイアウトデータ４２０と共に格納されていても良い。
【００５８】
上述した端末装置４００によるステップＳ１００１からステップＳ１００３までの処理
は、所定時間毎に実行される。端末装置４００から送信される空き情報と施設名及び住所は、サーバ３００において、空き情報登録部３１１により、空き情報データベース３２０に格納される。
【００５９】
次に、本実施形態の携帯端末２００の動作を説明する。
【００６０】
携帯端末２００は、携帯端末２００のユーザにより、空き情報の取得要求の操作を受け付けると、サーバ３００へアクセスする（ステップＳ１０１１）。続いて、携帯端末２００は、携帯端末２００の有するＧＰＳ機能により、携帯端末２００の現在地を示す位置情報を取得する（ステップＳ１０１２）。続いて携帯端末２００は、取得した携帯端末２００の位置情報をサーバ３００へ送信する（ステップＳ１０１３）。
【００６１】
携帯端末２００は、サーバ３００から、空き情報を含む画面データを受信すると（ステップＳ１０１４）、受信した画面データを表示させる（ステップＳ１０１５）。
【００６２】
次に、本実施形態のサーバ３００の動作について説明する。
【００６３】
本実施形態のサーバ３００は、端末位置取得部３１２により、携帯端末２００から、空き情報の取得要求と共に携帯端末２００の位置情報を受信する（ステップＳ１０２１）。続いてサーバ３００は、空き情報検索部３１３により、携帯端末２００の位置情報により、空き情報データベース３２０を検索する（ステップＳ１０２２）。
【００６４】
続いてサーバ３００は、空き情報検索部３１３により、携帯端末２００の位置情報が示す住所の周辺の施設の空き情報を取得する（ステップＳ１０２３）。具体的には、空き情報検索部３１３は、例えば携帯端末２００の位置を中心として、所定の半径の円を描き、その円内において、空き情報が登録された施設を一般的な地図情報から抽出する。そして、空き情報検索部３１３は、空き情報データベース３２０から、抽出された施設と対応付けられた空き情報を取得しても良い。また、空き情報検索部３１３は、例えば携帯端末２００の位置が含まれる町内や番地の中にある施設の空き情報を取得しても良い。
【００６５】
続いてサーバ３００は、画面データ生成部３１４により、取得した空き情報を含む画面データを生成し、送信部３１５により生成した画面データを携帯端末２００へ送信する（ステップＳ１０２４）。
【００６６】
以下に、図１１を参照して、携帯端末２００に表示される空き情報について説明する。第一の実施形態における携帯端末の画面の例を示す図である。
【００６７】
図１１に示す画面２０１には、レストランＡの空き情報２０２と、喫茶店Ｂの空き情報２０３とが表示されている。図１１では、図９（Ｃ）と同様に温度分布出力における人を、灰色の丸という記号で置き換えて表示している。したがって、空き情報２０２によれば、レストランＡには空席が５席あるが、テーブルは空いておらず、カウンター席が２席空いていることがわかる。また、空き情報２０３によれば、喫茶店Ｂに空席が６席あるが、全てのテーブルが埋まっていることがわかる。
【００６８】
尚、図１１では、画面２０１に二つの施設の空き情報が表示された例を説明したが、画面２０１に表示される空き情報の数は限定されない。例えばサーバ３００は、空き情報検索部３１３により複数の空き情報が取得された場合、携帯端末２００から近い順に、施設名の一覧等を表示させる画面データを生成し、携帯端末２００に送信しても良い。この場合、サーバ３００は、携帯端末２００において施設名の一覧からの施設の選択を受け付けて、選択された施設の空き情報を含む画面データを生成し、携帯端末２００へ送信しても良い。
【００６９】
以上のように、本実施形態によれば、簡単な操作で個人により専有される専有スペースの空き状況を示す情報を提供することができる。
【００７０】
尚、本実施形態では、端末装置４００が空き情報を取得してサーバ３００へ送信するものとしたが、これに限定されない。端末装置４００は、例えば人感検知データをレイアウトデータ４２０と共にサーバ３００へ送信しても良い。この場合、サーバ３００は、レイアウトデータ４２０と人感検知データとから、施設の空き情報を生成しても良い。
【００７１】
以下に、サーバ３００が空き情報を生成する形態を本実施形態の変形例として説明する。図１２は、変形例における端末装置とサーバの機能構成を説明する図である。
【００７２】
図１２における端末装置４００Ａは、人感検知部４１１と、送信部４１３とを有する。
【００７３】
本実施形態の端末装置４００Ａは、人感検知部４１１により人感検知データを取得し、送信部４１３により人感検知データをサーバ３００Ａへ送信する。
【００７４】
図１２におけるサーバ３００Ａは、空き情報提供処理部３１０Ｂを有する。空き情報提供処理部３１０Ｂは、空き情報提供処理部３１０Ａの有する各部に加え、レイアウトデータ取得部３１６、人感検知データ取得部３１７、空き情報生成部３１８を有する。
【００７５】
レイアウトデータ取得部３１６は、端末装置４００Ａからレイアウトデータ４２０を取得する。人感検知データ取得部３１７は、端末装置４００Ａから所定時間毎に、人感検知データを取得する。空き情報生成部３１８は、レイアウトデータ４２０と、人感検知データとを用いて空き情報を生成する。生成された空き情報は、空き情報登録部３１１により、空き情報データベース３２０に格納される。
【００７６】
以上の変形例で示すように、本実施形態では、サーバ３００Ａが空き情報を生成しても良い。サーバ３００Ａが空き情報を生成する場合、サーバ３００Ａは、施設内のレイアウトデータ４２０と、施設内の人の在／不在及び人の位置を示す人感検知データとを参照できれば良い。
【００７７】
（第二の実施形態）
以下に図面を参照して第二の実施形態について説明する。第二の実施形態は、空き情報に加えて施設までの道のりを示す地図情報を提供する点が第一の実施形態と相違する。したがって、以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００７８】
図１３は、第二の実施形態の空き情報提供システムのシステム構成の一例を示す図である。
【００７９】
本実施形態の空き情報提供システム１００Ａにおいて、サーバ３００Ｂは、地図情報データベース３３０を有する。
【００８０】
本実施形態の地図情報データベース３３０は、例えば一般的なナビゲーションシステム等に用いられる地図情報である。
【００８１】
図１４は、第二の実施形態のサーバの機能構成を説明する図である。本実施形態のサーバ３００Ｂは、空き情報提供処理部３１０Ｃを有する。本実施形態の空き情報提供処理部３１０Ｃは、第一の実施形態の空き情報提供処理部３１０Ａの有する各部に加え、地図情報検索部３２１を有する。
【００８２】
本実施形態の地図情報検索部３２１は、携帯端末２００の位置を示す位置情報により地図情報データベース３３０を検索する。
【００８３】
以下に、図１５を参照して、本実施形態の空き情報提供システム１００Ａの動作について説明する。図１５は、第二の実施形態の空き情報提供システムの動作を説明するシーケンス図である。
【００８４】
図１５において、図１０と同様の番号が付与されたステップは、図１０の処理と同様であるから、説明を省略する。
【００８５】
図１５のステップＳ１５０１からステップＳ１５０３までの処理は、図１０のステップＳ１０２１からステップＳ１０２３までの処理と同様であるから、説明を省略する。
【００８６】
ステップＳ１５０３に続いて、サーバ３００Ｂは、地図情報検索部３２１により、携帯端末２００から取得した位置情報により、地図情報データベース３３０を検索する（ステップＳ１５０４）。そして、サーバ３００Ｂは、携帯端末２００の現在位置と、ステップＳ１５０３で空き情報を取得した施設の住所とが含まれる地図情報を取得する（ステップＳ１５０５）。
【００８７】
続いてサーバ３００Ｂは、画面データ生成部３１４により、ステップＳ１５０３で取得した空き情報と、ステップＳ１５０５で取得した地図情報とを含む画面データを生成する（ステップＳ１５０６）。そして、サーバ３００Ｂは、送信部３１５により、画面データを携帯端末２００へ送信する（ステップＳ１５０７）。
【００８８】
図１６は、第二の実施形態における携帯端末の画面の例を示す図である。図１６に示す画面２０１Ａは、レストランＡの空き情報２０２と、携帯端末２００の現在地とレストランＡと喫茶店Ｂとを含む地図情報１６１とが表示されている。
【００８９】
地図情報１６１では、携帯端末２００の現在地からレストランＡと喫茶店Ｂのそれぞれへの道のりが表示される。
【００９０】
このように、本実施形態によれば、空き情報だけでなく、空き情報を取得した施設までの道のりも表示される。したがって、本実施形態によれば、例えば携帯端末２００のユーザが、携帯端末２００の現在地の周辺の土地勘がない場合でも、空き情報が提供された施設へ容易に導くことができる。
【００９１】
尚、図１６の例では、地図情報１６１と空き情報２０２とを同じ画面に表示させた例を示しているが、本実施形態のサーバ３００Ｂは、はじめに地図情報１６１のみを携帯端末２００に表示させても良い。すなわち、サーバ３００Ｂは、空き情報を取得した施設が全て含まれる地図情報を最初に携帯端末２００に表示させても良い。
【００９２】
そして、サーバ３００Ｂは、携帯端末２００に表示された地図情報において施設の選択を受け付けて、地図情報と選択された施設の空き情報とを同一画面に表示させても良い。
【００９３】
（第三の実施形態）
以下に図面を参照して第三の実施形態について説明する。第三の実施形態は、空き情報に加えて広告情報を提供する点が第一の実施形態と相違する。したがって、以下の第三の実施形態の説明では、第一の実施形態との相違点についてのみ説明し、第一の実施形態と同様の機能構成を有するものには第一の実施形態の説明で用いた符号と同様の符号を付与し、その説明を省略する。
【００９４】
図１７は、第三の実施形態の空き情報提供システムのシステム構成の一例を示す図である。
【００９５】
本実施形態の空き情報提供システム１００Ｂにおいて、サーバ３００Ｃは、広告情報データベース３４０を有する。
【００９６】
図１８は、広告情報データベースの一例を示す図である。本実施形態の広告情報データベース３４０は、情報の項目として、住所、広告主、広告内容を有する。項目「住所」の値は、広告を提供する所定の範囲を決めるための番地や町名等である。項目「広告主」の値は、対応する広告内容を広告する広告主を示す。項目「広告内容」の値は、空き情報と共に提供される広告の内容を示す。以下の説明では、項目「広告内容」の値を広告情報と呼ぶ。
【００９７】
本実施形態では、広告の提供を希望する広告主が、広告情報データベース３４０に安背スし、広告を提供する所定の範囲を決めるための町名や番地と、広告主名と、広告情報とを登録しても良い。
【００９８】
図１９は、第三の実施形態のサーバの機能構成を説明する図である。本実施形態のサーバ３００Ｃは、空き情報提供処理部３１０Ｄを有する。本実施形態の空き情報提供処理部３１０Ｄは、第一の実施形態の空き情報提供処理部３１０Ａの有する各部に加え、広告情報検索部３２２を有する。
【００９９】
以下に、図２０を参照して、本実施形態の空き情報提供システム１００Ｂの動作について説明する。図２０は、第三の実施形態の空き情報提供システムの動作を説明するシーケンス図である。
【０１００】
図２０において、図１０と同様の番号が付与されたステップは、図１０の処理と同様であるから、説明を省略する。
【０１０１】
図２０のステップＳ２００１からステップＳ２００３までの処理は、図１０のステップＳ１０２１からステップＳ１０２３までの処理と同様であるから、説明を省略する。
【０１０２】
ステップＳ２００３に続いて、サーバ３００Ｃは、広告情報検索部３２２により、携帯端末２００から取得した位置情報により、広告情報データベース３４０を検索する（ステップＳ２００４）。そして、サーバ３００Ｃは、広告情報データベース３４０の項目「住所」の値に携帯端末２００の現在地が含まれる広告情報を取得する（ステップＳ２００５）。
【０１０３】
続いてサーバ３００Ｃは、画面データ生成部３１４により、ステップＳ２００３で取得した空き情報と、ステップＳ２００５で取得した広告情報とを含む画面データを生成する（ステップＳ２００６）。そして、サーバ３００Ｃは、送信部３１５により、画面データを携帯端末２００へ送信する（ステップＳ２００７）。
【０１０４】
図２１は、第三の実施形態における携帯端末の画面の例を示す図である。図２１に示す画面２０１Ｂには、レストランＡの空き情報２０２と、喫茶店Ｂの空き情報２０３と、広告情報２０５とが表示されている。
【０１０５】
図２１の例では、例えば携帯端末２００の現在地が、○○市××町１−２−３であった場合を示している。この場合、広告情報データベース３４０において、項目「住所」の値で決められた町名等に携帯端末２００の現在地が含まれる広告情報は「産地直送！生鮮食品Ｃ」である。したがって、広告情報検索部３２２は、広告情報「産地直送！生鮮食品Ｃ」を取得し、画面２０１Ｂへ表示させる。
【０１０６】
以上のように、本実施形態によれば、携帯端末２００のユーザが現在地の周辺のレストラン等の空き情報を把握しようとしたとき、携帯端末２００の現在地の近辺の広告情報が自然に目に入るようにできる為、広告主は宣伝効果を享受することができる。
【０１０７】
尚、本実施形態では、空き情報とともに広告情報が表示されるものとしたが、これに限定されない。
【０１０８】
本実施形態では、広告情報の代わりに、空き情報が表示された施設と関連する施設の情報等が表示されても良い。具体的には、例えばレストランＡの空き情報が表示されている際に、レストランＡの姉妹店の情報等が広告情報の代わりに表示されても良い。さらに、本実施形態では、例えばレストランＡの空き情報において空席の数が予め設定された設定値よりも少ない場合や、空席がない場合等に、広告情報の代わりに、携帯端末２００の現在地の周辺で且つ空席のあるレストランＡの姉妹店の案内を表示させても良い。
【０１０９】
（第四の実施形態）
以下に図面を参照して第四の実施形態について説明する。第四の実施形態は、空き情報に加えて座席毎に設定された座席情報を提供する点が第一の実施形態と相違する。したがって、以下の第四の実施形態の説明では、第一の実施形態との相違点についてのみ説明し、第一の実施形態と同様の機能構成を有するものには第一の実施形態の説明で用いた符号と同様の符号を付与し、その説明を省略する。
【０１１０】
図２２は、第四の実施形態の空き情報提供システムのシステム構成の一例を示す図である。
【０１１１】
本実施形態の空き情報提供システム１００Ｃにおいて、サーバ３００Ｄは、座席情報データベース３５０を有し、端末装置４００Ｂは、座席データ４３０を有する。本実施形態の端末装置４００Ｂでは、例えば端末装置４００Ｂが配置された施設の管理者等により、予め座席データ４３０が登録され、格納されている。座席データ４３０は、サーバ３００Ｄに送信され、座席情報データベース３５０に格納される。
【０１１２】
図２３は、座席情報データベースの一例を示す図である。本実施形態の座席情報データベース３５０は、情報の項目として、施設ＩＤ、施設名、座席位置、表示情報を有し、項目「座席位置」と他の項目とが対応付けられている。以下の説明では、項目「座席位置」の値と、他の項目の値とを含む情報を座席情報と呼ぶ。本実施形態の座席情報データベース３５０は、各施設に配置された端末装置４００Ｂから送信された座席情報の集合である。
【０１１３】
項目「施設名」の値は、後述する座席データをサーバ３００Ｄに送信した端末装置４００Ｂが配置された施設の名称である。項目「座席位置」の値は、レイアウトデータ４２０における各座席の位置を示す座標である。本実施形態の座席位置の座標は、例えばレイアウトデータ４２０が有する画像データにおいて、座席が占める領域の中心点の座標であっても良い。
【０１１４】
項目「座席情報」の値は、対応する座席位置の座席について設定された情報である。本実施形態の座席情報は、例えば座席の特徴を示す情報であったり、座席と対応付けられたサービスに関する情報等であっても良い。本実施形態では、端末装置４００Ｂにおいて任意の座席情報が登録される。
【０１１５】
図２４は、第四の実施形態のサーバの機能構成を説明する図である。本実施形態のサーバ３００Ｄは、空き情報提供処理部３１０Ｅを有する。本実施形態の空き情報提供処理部３１０Ｅは、第一の実施形態の空き情報提供処理部３１０Ａの有する各部に加え、操作受付部３３１、座席情報検索部３３２を有する。
【０１１６】
操作受付部３３１は、携帯端末２００に表示された空き情報において、座席を選択する操作がなされたことを受け付ける。座席情報検索部３３２は、座席情報データベース３５０を選択された座席の座席位置で検索し、選択された座席と対応する座席情報を取得する。
【０１１７】
次に、図２５を参照して、本実施形態の空き情報提供システム１００Ｃの動作を説明する。図２５は、第四の実施形態の空き情報提供システムの動作を説明するシーケンス図である。
【０１１８】
図２５において、図１０と同様の番号が付与されたステップは、図１０の処理と同様であるから、説明を省略する。
【０１１９】
携帯端末２００に空き情報が表示されると、携帯端末２００は、空き情報において座席の選択を受け付ける（ステップＳ２５０１）。
【０１２０】
サーバ３００Ｃは、操作受付部３３１により、携帯端末２００での座席の選択操作を受け付け、座席情報検索部３３２により、選択された座席の位置を示す座標で座席情報データベース３５０を検索する（ステップＳ２５０２）。
【０１２１】
続いてサーバ３００Ｃは、座席情報検索部３３２により、選択された座標と対応する座席情報を取得し（ステップＳ２５０３）、送信部３１５により座席情報を携帯端末２００へ送信する（ステップＳ２５０４）。
【０１２２】
携帯端末２００は、座席情報を受信すると、空き情報の選択された座席と対応付けて受信した座席情報を表示させる（ステップＳ２５０５）。
【０１２３】
図２６は、第四の実施形態における携帯端末の画面の例を示す図である。図２６に示す画面２０１Ｃは、レストランＡの空き情報において、座席位置（ｘ１，ｙ１）の座席が選択された場合を示している。
【０１２４】
本実施形態では、例えば携帯端末２００のユーザが、座席位置（ｘ１，ｙ１）の座席をタップした場合に、この座席の選択を受け付ける。そして、サーバ３００Ｃは、座席位置（ｘ１，ｙ１）により座席情報データベース３５０を検索して座席情報「夜景が見えます！」を取得し、携帯端末２００へ送信する。携帯端末２００は、受信した座席情報を選択された座席と対応付けられた座席情報２６１を表示させる。
【０１２５】
以上のように、本実施形態では、空き情報により示される座席が選択された際に、各座席に応じた情報を表示させることができる。したがって、例えば端末装置４００が配置された飲食店等では、座席に応じたサービスを提供したり、座席の長所をアピールしたりすることができる。このため、例えばレイアウトの都合等により、客が着席する頻度が低い座席等が存在する場合には、該当する座席に着席することによる特典等をアピールすることができ、集客効果が期待できる。
【０１２６】
（第五の実施形態）
以下に図面を参照して本実施形態の第五の実施形態について説明する。第五の実施形態では、空き情報を取得する際に、施設内の椅子やテーブル等の設備の位置を示す座標を用いる点等が、第一及び第四の実施形態と相違する。したがって、以下の第五の実施形態の説明では、第一の実施形態との相違点についてのみ説明し、第一の実施形態と同様の機能構成を有する点には、第一の実施形態の説明で用いた符号と同様の符号を付与し、その説明を省略する。
【０１２７】
図２７は、第五の実施形態の空き情報提供システムのシステム構成の一例を示す図である。
【０１２８】
本実施形態の空き情報提供システム１００Ｄにおいて、サーバ３００Ｅは、施設位置データベース３６０を有し、端末装置４００Ｃは、レイアウトデータ４２０Ａを有する。
【０１２９】
本実施形態の施設位置データベース３６０は、空き情報データベース３２０に空き情報が格納された施設の位置を示す情報が格納されている。本実施形態の端末装置４００Ｃのレイアウトデータ４２０Ａは、例えば端末装置４００Ｃが配置された施設の座席等の位置を示す情報が含まれる。
【０１３０】
図２８は、第五の実施形態の施設位置データベースの一例を示す図である。本実施形態の施設位置データベース３６０は、情報の項目として、施設ＩＤ、施設名、緯度・経度を有する。本実施形態の項目「緯度・経度」は、例えば施設ＩＤにより特定される施設の敷地を示す領域の中心部を示す緯度・経度である。また、本実施形態の施設位置データベース３６０では、施設ＩＤにより特定される施設の敷地が矩形である場合等には、項目「緯度・経度」の値として、矩形における４点の緯度・経度を有していても良い。
【０１３１】
尚、施設位置データベース３６０は、端末装置４００において、端末装置４００が配置された施設の管理者等により入力され、サーバ３００Ｅに送信されても良い。また、施設位置データベース３６０は、サーバ３００Ｅが、空き情報データベース３２０に格納された施設ＩＤと施設名で一般的な地図情報を検索する等して取得しても良い。
【０１３２】
図２９は、第五の実施形態のレイアウトデータの一例を示す図である。本実施形態のレイアウトデータ４２０Ａは、情報の項目として、施設ＩＤ、施設名、設計図、座席数、座席ＩＤ、座標を有する。項目「座席ＩＤ」の値は、対応する施設ＩＤにより特定される施設内に配置された椅子等の座席を識別する識別子である。項目「座標」の値は、対応する設計図において、座席の位置を示す座標である。
【０１３３】
図２９の例では、施設ＩＤ「００１」のレストランＡに配置された座席ＩＤ「１」の座席は、画像データ．ｊｐｇにより表示される画像における座標（ｘ１，ｙ１）の位置に配置されていることがわかる。尚、本実施形態の座標（ｘ１，ｙ１）は、例えば、画像における座席ＩＤ「１」の座席を示す画像の表示領域の中心点を示していても良いし、座席ＩＤ「１」の座席を示す画像において予め決められた基準点を示していても良い。基準点とは、例えば座席を示す画像が矩形である場合には、左上の頂点を基準点としても良い。
【０１３４】
本実施形態では、座席の座標は、端末装置４００が配置された施設の管理者により入力されても良い。また、本実施形態の座席の座標は、例えば施設内の画像や設計図等を解析して取得されても良い。
【０１３５】
図３０は、第五の実施形態のサーバの機能構成を説明する図である。本実施形態のサーバ３００Ｅは、空き情報提供処理部３１０Ｆを有する。本実施形態の空き情報提供処理部３１０Ｆは、第一の実施形態の空き情報提供処理部３１０Ａの有する各部に加え、施設検索部３３３を有する。また、本実施形態の空き情報提供処理部３１０Ｆは、空き情報検索部３１３の代わりに、空き情報取得部３３４を有する。
【０１３６】
本実施形態の施設検索部３３３は、携帯端末２００の位置情報に基づき、施設位置データベース３６０を検索し、位置情報と対応する位置のある施設の施設ＩＤを抽出する。より具体的には、施設検索部３３３は、例えば携帯端末２００の位置情報が示す位置を中心として、所定の半径の円を描き、施設位置データベース３６０において、その円内に緯度・経度が含まれる施設の施設ＩＤを抽出する。
【０１３７】
空き情報取得部３３４は、施設検索部３３３により抽出された施設ＩＤが示す施設の空き情報を、空き情報データベース３２０から取得する。
【０１３８】
図３１は、人感検知データの一例を示す図である。図３０に示す人感検知データ３０１は、人感検知部４１１において生成されるデータであり、一時的に端末装置４００Ａに保持され、レイアウトデータ４２０と照合される。
【０１３９】
本実施形態の人感検知データ３０１は、情報の項目として、領域ＩＤ、中心座標、温度、在／不在フラグを有する。項目「領域ＩＤ」の値は、天井から見た室内を予め分割した各領域を識別する識別子を示す。本実施形態では、領域毎に温度や人の在／不在が検出される。尚、本実施形態では、領域は矩形であるものとした。
【０１４０】
項目「中心座標」の値は、対応する領域ＩＤにより特定される領域の中心の座標を示す。項目「温度」の値は、対応する領域ＩＤにより特定される領域の温度であり、サーモパイルにより検出される。項目「在・不在フラグ」の値は、対応する領域ＩＤにより特定される領域に人が存在するか否かを示す値で有る。本実施形態では、項目「在・不在フラグ」の値が１のとき、対応する領域に人が存在し、項目「在・不在フラグ」の値が０のとき、対応する領域に人が存在しないことを示す。
【０１４１】
以下に、図３２を参照して、本実施形態の空き情報の取得について説明する。図３２は、第五の実施形態の空き情報の取得を説明する図である。
【０１４２】
図３２（Ａ）は、レストランＡの室内において取得された人感検知データ３０１を説明する図である。図３２（Ａ）に示すように、レストランＡの室内は、設計図である画像データＡ．ｊｐｅｇを表示させた画像の左上から順に、領域１１、１２、１３、・・・、１ｎ、２１、・・・、２ｎ、・・・、ｍ１、・・・、ｍｎに分割されている。また、人感検知データ３０１では、領域１１、１２、１４の在・不在フラグの値が１となっている。したがって、領域１１、１２、１４には、図３２（Ａ）に示すように、人が存在していることがわかる。
【０１４３】
図３２（Ｂ）は、レイアウトデータ４２０Ａと人感検知データ３０１とを照合させた状態を示している。
【０１４４】
本実施形態のレイアウトデータ４２０Ａでは、座席ＩＤと座席の座標と格納されている。したがって、本実施形態では、各座席が、人感検知データ３０１におけるどの領域と重なる位置に配置されているかを知ることができる。本実施形態では、例えば座席ＩＤ「１」の座席は領域１１内に配置されており、領域１１の在・不在フラグの値が１である。よって、本実施形態では、座席ＩＤ「１」の座席に人が座っていると判定できる。
【０１４５】
図３２（Ｃ）は、本実施形態の空き情報の一例を示す図である。本実施形態では、以上のように、室内を分割した領域毎における在・不在フラグの値と、座席の位置を示す座標とを照合することで、どの位置にあるどの座席が空席であるかを空き情報に含めることができる。
【０１４６】
したがって、本実施形態では、図３２（Ｃ）に示すように、空席を矩形Ｐで囲う枠などを表示させることができる。
【０１４７】
尚、本実施形態では、施設のレイアウトデータ４２０Ａに、人の在・不在を示す画像を重畳させた画像データを空き情報としたが、これに限定されない。本実施形態は、レイアウトデータに含まれる施設内の空席の数としても良い。
【０１４８】
尚、本実施形態では、レイアウトデータ４２０Ａにおいて、座席の座標は座席ＩＤと対応付けられているが、座席の座標は、例えば座席と対応するテーブルのＩＤとも対応付けられていても良い。
【０１４９】
本実施形態では、座席の座標とテーブルの座標とを対応付けることで、例えば複数人で１つのテーブルを囲むような座席を確保したい場合等に、空いているテーブルの数や、何人がけのテーブルが空いているか、といった情報まで提供することができる。
【０１５０】
次に、図３３を参照し、本実施形態のサーバ３００Ｅによる、施設位置データベース３６０を参照した空き情報の取得について説明する。図３３は、第五の実施形態の空き情報提供システムの動作を説明するシーケンス図である。
【０１５１】
図３３のステップＳ３３０１の処理は、図１０のステップＳ１０２１の処理と同様であるから説明を省略する。
【０１５２】
続いて、サーバ３００Ｅは、施設検索部３３３により、携帯端末２００の位置情報により、施設位置データベース３６０を検索し、位置情報と対応する施設の施設ＩＤを抽出する（ステップＳ３３０２）。施設検索部３３３による施設ＩＤの抽出は、上述した通りである。
【０１５３】
続いて、空き情報取得部３３４は、空き情報データベース３２０を参照し、ステップＳ３３０２で抽出された施設ＩＤと対応する施設の空き情報を取得する（ステップＳ３３０３）。図３３のステップＳ３３０４の処理は、図１０のステップＳ１０２４の処理と同様であるから、説明を省略する。
【０１５４】
以上のように、本実施形態では、レイアウトデータ４２０Ａに、施設内の座席等の設備が配置されている位置の座標を含ませることで、単に空いている席を示す空き情報よりも、詳細な空き情報を提供することができる。
【０１５５】
（第六の実施形態）
以下に図面を参照して本実施形態の第六の実施形態について説明する。第六の実施形態では、空き情報を取得する際に、施設の予約状況に応じた空き情報を取得する点が、第五の実施形態と相違する。したがって、以下の第六の実施形態の説明では、第五の実施形態との相違点についてのみ説明し、第五の実施形態と同様の機能構成を有する点には、第五の実施形態の説明で用いた符号と同様の符号を付与し、その説明を省略する。
【０１５６】
図３４は、第六の実施形態の空き情報提供システムのシステム構成の一例を示す図である。
【０１５７】
本実施形態の空き情報提供システム１００Ｅにおいて、サーバ３００Ｅは、空き情報データベース３２０と、施設位置データベース３６０と、予約データベース３７０とを有し、端末装置４００Ｄは、予約データ４４０を有する。
【０１５８】
本実施形態の予約データベース３７０は、端末装置４００Ｄから送信される予約データが登録される。
【０１５９】
本実施形態の端末装置４００Ｄの予約データは、端末装置４００Ｄが設置された施設の予約状況を示すデータである。具体的には、予約データ４４０は、端末装置４００Ｄが設置された施設において、予約された座席の位置と、この座席が予約されている日時を示すデータを含む。
【０１６０】
本実施形態の予約データ４４０は、例えば端末装置４００Ｄの有する予約受付機能等を用いて、端末装置４００Ｄの管理者や、端末装置４００Ｄが設置された施設の従業員等により端末装置４００Ｄに入力されても良い。本実施形態の予約データ４４０は、端末装置４００Ｄに入力されると、一時的に端末装置４００Ｄに保持され、その後所定のタイミングでサーバ３００Ｅに送信されても良い。
【０１６１】
図３５は、第六の実施形態の予約データベースの一例を示す図である。本実施形態の予約データベース３７０は、情報の項目として、施設ＩＤ、施設名、住所、予約位置、予約日時を有する。本実施形態の予約データベース３７０において、項目「施設ＩＤ」と、その他の項目とが対応付けられている。以下の説明では、項目「施設ＩＤ」の値と、その他の項目の値とを含む情報を、予約情報と呼ぶ。
【０１６２】
項目「予約位置」の値は、対応する施設において、予約済みの座席の位置を示す。本実施形態における座席の位置とは、施設ＩＤと対応する設計図において、座席の位置を示す座標である。
【０１６３】
項目「予約日時」の値は、対応する座席が予約されている日と時間帯を示す。
【０１６４】
図３５では、例えば、施設ＩＤ「００１」のレストランＡの設計図である画像データ．ｊｐｇにより表示される画像における座標（ｘ１，ｙ１）の位置の座席が、８／１４の１６：００〜１７：００の間予約されていることがわかる。
【０１６５】
また、本実施形態の予約データベース３７０では、項目「座席位置」の値として、格納されている座標の数を、予約されている座席の数としている。
【０１６６】
図３５では、例えば、施設ＩＤ「００２」を含む予約情報では、項目「予約位置」の値として、２つの座標が格納されている。したがって、施設ＩＤ「００２」を含む予約情報は、２つの座席が予約されていることを示していることがわかる。
【０１６７】
尚、図３５の例では、予約された座席を、座席の座標で示すことで、予約された座席の位置を特定しているが、予約された座席の特定の方法は、これに限定されない。予約データベース３７０では、例えば項目「予約位置」の代わりに、項目「座席ＩＤ」としても良い。この場合、項目「座席ＩＤ」の値は、予約された座席を、座席ＩＤが示す座席として特定することができる。
【０１６８】
また、本実施形態の予約情報は、項目「住所」の値を含むものとしたが、項目「住所」の値は含まれなくても良い。
【０１６９】
また、本実施形態では、例えば端末装置４００Ｄが、端末装置４００Ｄにおいて入力された予約データに、端末装置４００Ｄが設置された施設の施設ＩＤを対応付けてサーバ３００Ｅに送信した情報を、予約情報として予約データベース３７０に格納しても良い。
【０１７０】
図３６は、第六の実施形態のサーバの機能構成を説明する図である。本実施形態のサーバ３００Ｆは、空き情報提供処理部３１０Ｇを有する。本実施形態の空き情報提供処理部３１０Ｇは、第五の実施形態の空き情報提供処理部３１０Ｆの有する各部に加え、予約情報取得部３３５、到着・滞在情報取得部３３６、照合部３３７を有する。
【０１７１】
本実施形態の予約情報取得部３３５は、予約データベース３７０を参照し、施設検索部３３３により抽出された施設ＩＤと対応する予約情報を取得する。
【０１７２】
本実施形態の到着・滞在情報取得部３３６は、抽出された施設ＩＤと対応する施設へ到着する到着予定時刻と、携帯端末２００の利用者の滞在予定時間とを取得する。本実施形態では、到着予定時刻と滞在予定時間とは、予め設定されていても良い。具体的には、本実施形態の到着予定時刻は、携帯端末２００から位置情報を取得した時刻から１０分後とし、滞在予定時間は１時間とした。到着予定時刻と滞在予定時間は、例えばサーバ３００Ｆの有する補助記憶装置３４やメモリ装置３５等に記憶されていても良い。
【０１７３】
本実施形態の照合部３３７は、空き情報データベース３２０から取得した空き情報と、予約情報及び到着予定時刻と滞在予定時間とを照合し、到着予定時刻から滞在予定時間が終了するまでの間の空き情報を取得する。
【０１７４】
すなわち、本実施形態では、携帯端末２００の利用者が、所望の施設に到着してから、希望する滞在時間の間、専有できる（利用可能）な場所（座席）を、空き情報として提供する。したがって、本実施形態によれば、例えば利用者が現在の空き情報に基づく施設に滞在している最中に、この利用者が利用している座席を、予約した他の利用者のために明け渡さねばならなくなる、といった状況を回避できる。
【０１７５】
図３７は、第六の実施形態の空き情報提供システムの動作を説明するシーケンス図である。
【０１７６】
図３７において、図１０と同様のステップが付与されている処理は、図１０で説明した通りである。
【０１７７】
始めに、本実施形態の端末装置４００Ｄの動作について説明する。本実施形態の端末装置４００Ｄは、予約データ４４０の入力を受け付けると、端末装置４００Ｄが設置された施設ＩＤと予約データ４４０とを対応付けた予約情報とし、サーバ３００Ｆへ送信する（ステップＳ３７０１）。送信された予約情報は、予約データベース３７０に格納される。
【０１７８】
続いて、本実施形態のサーバ３００Ｆの動作について説明する。
【０１７９】
図３７のステップＳ３７０１からステップＳ３７０２とステップＳ３７０３の処理は、図３３のステップＳ３３０１とステップＳ３３０２の処理と同様であるから、説明を省略する。
【０１８０】
本実施形態の空き情報提供処理部３１０Ｇは、予約情報取得部３３５により、予約データベース３７０を参照し、ステップＳ３７０３で抽出された施設ＩＤ毎に、施設ＩＤと対応する予約情報を取得する（ステップＳ３７０４）。続いて、空き情報提供処理部３１０Ｇは、到着・滞在情報取得部３３６により、到着予定時刻と滞在予定時間を取得する（ステップＳ３７０５）。
【０１８１】
続いて空き情報提供処理部３１０Ｇは、空き情報取得部３３４により、空き情報データベース３２０から、抽出した施設ＩＤ毎に、施設ＩＤと対応する空き情報を取得する（ステップＳ３７０６）。
【０１８２】
続いて空き情報提供処理部３１０Ｇは、照合部３３７により、抽出された施設ＩＤ毎に、予約情報、到着予定時刻、滞在予定時間、空き情報を照合し、照合結果を反映させた空き情報を取得する（ステップＳ３７０７）。尚、照合部３３７による処理の詳細は後述する。
【０１８３】
続いて空き情報提供処理部３１０Ｇは、画面データ生成部３１４により、照合結果が反映された空き情報に基づく画面データを生成し、送信部３１５により生成した画面データを携帯端末２００へ送信する（ステップＳ３７０８）。
【０１８４】
以下に、図３８を参照して本実施形態の照合部３３７の処理を説明する。図３８は、第六の実施形態の照合部の処理を説明するフローチャートである。
【０１８５】
本実施形態の照合部３３７は、抽出された予約情報において、予約日時が滞在予定時間と重複する予約情報が存在するか否かを判定する（ステップＳ３８０１）。
【０１８６】
ステップＳ３８０１において、抽出された予約情報に、該当する予約時間が存在しない場合、空き情報提供処理部３１０Ｇは、空き情報取得部３３４により抽出した空き情報を画面データ生成部３１４へ出力し（ステップＳ３８０２）、処理を終了する。
【０１８７】
ステップＳ３８０１において、該当する予約情報が存在する場合、照合部３３７は、空き情報に基づき、施設内の空席の座席を特定する（ステップＳ３８０３）。具体的には、本実施形態の照合部３３７は、空き情報から、施設内を分割した領域毎における在・不在フラグの値と、座席の位置を示す座標とを照合することで、どの位置にあるどの座席が空席であるかを特定する。
【０１８８】
続いて、照合部３３７は、特定した座席の座標が、ステップＳ３８０１で該当する予約情報に含まれるか否かを判定する（ステップＳ３８０４）。つまり、照合部３３７は、滞在予定時間が予約日時と重複する予約情報に、現在空席である座席の座標が含まれるか否かを判定する。
【０１８９】
ステップＳ３８０４において、特定した座席の座標が該当する予約情報に含まれない場合、照合部３３７は、ステップＳ３８０２へ進む。
【０１９０】
ステップＳ３８０４において、特定した座席の座標が該当する予約情報に含まれる場合、照合部３３７は、特定した座席を利用不可の座席とする（ステップＳ３８０５）。
【０１９１】
続いて、照合部３３７は、空き情報取得部３３４により抽出した空き情報における、全ての空席の座席について、処理を行ったか否かを判定する（ステップＳ３８０６）。
【０１９２】
ステップＳ３８０６において、全ての座席について処理を行っていない場合、照合部３３７は、ステップＳ３８０３へ戻る。
【０１９３】
ステップＳ３８０６において、全ての座席について処理を行った場合、照合部３３７は、空き情報取得部３３４により抽出した空き情報に対し、利用不可とした座席の情報を反映させた照合結果の空き情報を、画面データ生成部３１４へ出力（ステップＳ３８０７）し、処理を終了する。
【０１９４】
以下に、図３９及び図４０を参照し、照合結果が反映された空き情報について説明する。図３９、４０は、滞在予定時間が１０：１０〜１１：００の場合を示している。図３９は、第六の実施形態における携帯端末の画面の例を示す第一の図である。
【０１９５】
図３９に示す画面２０１Ｄは、Ａレストランの空き情報として、照合結果が反映された空き情報２０２Ａと、滞在予定時間と予約日時が重複する予約情報が存在しなかった喫茶店Ｂの空き情報２０３とが表示されている。
【０１９６】
Ａレストランの空き情報２０２Ａにおいて、座席３９１は、携帯端末２００が空き情報の取得要求を行ったときに利用不可である座席を示している。利用不可である座席とは、例えば人が座っている座席である。
【０１９７】
また、空き情報２０２Ａにおいて、座席３９２は、携帯端末２００が空き情報の取得要求を行ったときには利用可能であるが、滞在予定時間中に利用不可となる座席を示している。つまり、座席３９２は、照合部３３７の処理により利用不可とされた座席である。具体的には、座席３９２は、携帯端末２００の利用者がレストランＡに到着したときには空席であるが、滞在予定時間中に、予約済みの他の利用者が使用する座席である。
【０１９８】
また、本実施形態の画面２１Ｄには、滞在予定時間中の空き情報であることを示すメッセージ３９３が表示される。
【０１９９】
本実施形態では、図３９に示すように、空き情報を取得した時点の利用不可の座席と、滞在予定時間中に利用不可となる座席とをそれぞれ異なる表示態様で表示させても良い。これらを異なる表示態様で表示させることで、例えば滞在予定時間中の施設内の混雑具合の変化等も利用者に提供することができる。
【０２００】
図４０は、第六の実施形態における携帯端末の画面の例を示す第二の図である。
【０２０１】
図４０に示す画面２０１Ｅでは、座席が選択されると、選択された座席の予約データが表示される。
【０２０２】
図４０では、レストランＡの空き情報において、座席３９４が選択されている場合を示している。座席３９４の座席位置を示す座標は、（ｘ１，ｙ１）である。
【０２０３】
本実施形態では、座席３９４が選択されると、予約情報取得部３３５により抽出されたレストランＡの予約情報に、選択された座席３９４の座標が含まれるか否かを判定し、座席３９４の座標が含まれない場合は、図４０に示すように「１１：００まで空席」と表示させる。
【０２０４】
また、図４０では、例えば座席３９２が選択された場合には、抽出された予約情報を参照し、座席３９２の予約データの一部を表示しても良い。座席３９２の予約データの一部とは、座席３９２が予約されている日時であっても良い。
【０２０５】
本実施形態では、画面２０１Ｅにおいて、選択された座席毎の予約データを表示させることで、例えば利用者が選択した座席の予約状況を提供することができる。
【０２０６】
尚、本実施形態における、照合結果を反映させた空き情報とは、言い換えれば、予約状況を反映させた空き情報である。
【０２０７】
（第七の実施形態）
以下に図面を参照して第七の実施形態について説明する。第七の実施形態は、滞在予定時間を携帯端末２００において入力させる点が、第六の実施形態と相違する。したがって、以下の第七の実施形態の説明では、第六の実施形態との相違点についてのみ説明し、第五の実施形態と同様の機能構成を有する点には、第六の実施形態の説明で用いた符号と同様の符号を付与し、その説明を省略する。
【０２０８】
図４１は、第七の実施形態のサーバの機能構成を説明する図である。本実施形態のサーバ３００Ｇは、空き情報提供処理部３１０Ｈを有する。
【０２０９】
本実施形態のサーバ３００Ｇは、携帯端末２００から位置情報を取得した際の空き情報を滞在予定時間の入力欄と共に携帯端末２００に表示させる。そして、サーバ３００Ｇは、滞在予定時間の入力欄に対する入力を受け付けて、空き情報を予約情報、到着予定時刻、滞在予定時間と照合し、照合結果が反映された空き情報を表示させる画面データを携帯端末２００へ送信する。
【０２１０】
携帯端末２００は、この画面データを受信すると、空き情報が表示された画面を、照合結果が反映された空き情報が表示された画面へ遷移させる。
【０２１１】
本実施形態の空き情報提供処理部３１０Ｈは、到着・滞在情報取得部３３６の代わりに、入力受付部３３８を有する。また、本実施形態の空き情報提供処理部３１０Ｈは、照合部３３７Ａを有する。
【０２１２】
入力受付部３３８は、携帯端末２００において入力された、滞在予定時間の入力を受け付ける。照合部３３７Ａは、第六の実施形態の照合部３３７の処理に加え、携帯端末２００の位置情報に基づき、各施設への到着予定時刻を算出する。
【０２１３】
図４２は、第七の実施形態の空き情報提供システムの動作を説明するシーケンス図である。
【０２１４】
図４２において、図１０と同様のステップが付与されている処理は、図１０で説明した通りである。また、図４２において、図３７と同様のステップが付与されている処理は、図３７で説明した通りである。
【０２１５】
本実施形態の空き情報提供処理部３１０Ｈは、画面データ生成部３１４により、取得した空き情報と、滞在予定時間の入力欄とを表示させる画面の画面データを携帯端末２００へ送信する（ステップＳ４２０１）。
【０２１６】
携帯端末２００は、画面データを受信し（ステップＳ４２０２）、空き情報と、滞在予定時間の入力欄が表示された画面を表示させる（ステップＳ４２０３）。
【０２１７】
続いて、携帯端末２００は、入力欄への滞在予定時間の入力を受け付けて、滞在予定時間をサーバ３００Ｇへ送信する（ステップＳ４２０４）。
【０２１８】
サーバ３００Ｇにおいて、空き情報提供処理部３１０Ｈは、入力受付部３３８により滞在予定時間を受信すると、予約情報取得部３３５により、ステップＳ３３０２で抽出された施設毎の予約情報を抽出する（ステップＳ４２０５）。
【０２１９】
続いて、空き情報提供処理部３１０Ｈは、照合部３３７Ａにより、ステップＳ３３０１で受信した位置情報と、位置情報を受信した時刻と、ステップＳ３３０２で抽出された施設の位置とに基づき、抽出された施設への到着予定時刻を算出する（ステップＳ４２０６）。
【０２２０】
尚、到着予定時刻の算出には、携帯端末２００の利用者の移動速度を示す値が必要となる。本実施形態では、移動速度は、例えば所定の速度が予め設定されていても良い。また本実施形態では、携帯端末２００の位置情報の履歴から、携帯端末２００の移動速度を算出しても良い。
【０２２１】
続いて、照合部３３７Ａは、算出された到着予定時刻と、入力情報に含まれる滞在予定時間と、予約情報とを空き情報と照合する（ステップＳ４２０７）。ステップＳ４２０７とステップＳ４２０８の処理は、図３７のステップＳ３７０７とステップＳ３７０８の処理と同様であるから、説明を省略する。
【０２２２】
携帯端末２００は、サーバ３００Ｇから、照合結果が反映された空き情報を表示させる画面データを受信すると（ステップＳ４２０９）、ステップＳ４２０３で表示させた画面から、ステップＳ４２０９で受信した画面データの画面に表示を切り替える（ステップＳ４２１０）。尚、ステップＳ４２１０で表示される画面とは、例えば図３９、図４０で示した画面である。
【０２２３】
以下に、図４３を参照し、滞在予定時間の入力欄が表示された画面の例を説明する。図４３は、第七の実施形態における携帯端末に表示された画面の例を示す図である。
【０２２４】
図４３に示す画面２０１Ｆには、サーバ３００Ｇが携帯端末２００の位置情報を受信した時間の空き情報として、レストランＡと喫茶店Ｂの空き情報が表示されている。
【０２２５】
また、本実施形態では、滞在予定時間の入力欄４３１と、送信ボタン４３２とが表示されている。本実施形態では、入力欄４３１に滞在予定時間が入力され、送信ボタン４３２が操作されると、滞在入力時間がサーバ３００Ｇに送信される。
【０２２６】
以上のように、本実施形態では、予約情報を反映させた空き情報を提供できるため、第六の実施形態と同様の効果を奏することができる。
【０２２７】
尚、携帯端末２００では、本実施形態のように、空き情報を表示させる際に、予約情報を反映させる前の空き情報を一度表示させるか、予約情報を反映させた空き情報のみを表示させるか、何れか一方を設定により切替可能であっても良い。
【０２２８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２２９】
１００、１００Ａ〜１００Ｄ  空き情報提供システム
２００  携帯端末
３００、３００Ａ〜３００Ｇ  サーバ
３１０Ａ〜３１０Ｈ  空き情報提供処理部
３１１  空き情報登録部
３１２  端末位置取得部
３１３  空き情報検索部
３１４  画面データ生成部
３１５  送信部
３１６  レイアウトデータ取得部
３１７  人感検知データ取得部
３１８  空き情報生成部
３２０  空き情報データベース
３２１  地図情報検索部
３２２  広告情報検索部
３３０  地図情報データベース
３３１  操作受付部
３３２  座席情報検索部  
３３３  施設検索部
３３５  予約情報取得部
３３６  到着・滞在情報取得部
３３７、３３７Ａ  照合部
３３８  入力受付部
３４０  広告情報データベース
３５０  座席情報データベース
３６０  施設位置データベース
３７０  予約データベース
４００、４００Ａ、４００Ｂ  端末装置
４１１  人感検知部
４１２  空き情報取得部
４１３  送信部
４２０、４２０Ａ  レイアウトデータ
【先行技術文献】
【特許文献】
【０２３０】
【特許文献１】特開２０００−１９４７８１号公報
【図１】
2016177775.tif 000003
【図２】
2016177775.tif 000004
【図３】
2016177775.tif 000005
【図４】
2016177775.tif 000006
【図５】
2016177775.tif 000007
【図６】
2016177775.tif 000008
【図７】
2016177775.tif 000009
【図８】
2016177775.tif 000010
【図９】
2016177775.tif 000011
【図１０】
2016177775.tif 000012
【図１１】
2016177775.tif 000013
【図１２】
2016177775.tif 000014
【図１３】
2016177775.tif 000015
【図１４】
2016177775.tif 000016
【図１５】
2016177775.tif 000017
【図１６】
2016177775.tif 000018
【図１７】
2016177775.tif 000019
【図１８】
2016177775.tif 000020
【図１９】
2016177775.tif 000021
【図２０】
2016177775.tif 000022
【図２１】
2016177775.tif 000023
【図２２】
2016177775.tif 000024
【図２３】
2016177775.tif 000025
【図２４】
2016177775.tif 000026
【図２５】
2016177775.tif 000027
【図２６】
2016177775.tif 000028
【図２７】
2016177775.tif 000029
【図２８】
2016177775.tif 000030
【図２９】
2016177775.tif 000031
【図３０】
2016177775.tif 000032
【図３１】
2016177775.tif 000033
【図３２】
2016177775.tif 000034
【図３３】
2016177775.tif 000035
【図３４】
2016177775.tif 000036
【図３５】
2016177775.tif 000037
【図３６】
2016177775.tif 000038
【図３７】
2016177775.tif 000039
【図３８】
2016177775.tif 000040
【図３９】
2016177775.tif 000041
【図４０】
2016177775.tif 000042
【図４１】
2016177775.tif 000043
【図４２】
2016177775.tif 000044
【図４３】
2016177775.tif 000045